Podtech/llm-jp-corpus-v4-ja_patent huggingface dataset:
【手続補正書】
【提出日】平成16年11月10日(2004.11.10)
【手続補正１】
【補正対象書類名】明細書
【補正対象項目名】請求項１
【補正方法】変更
【補正の内容】
【請求項１】
精米ホッパーの排出口を精米室に連通し、その精米室の出口から戻り通路を経て上記精米ホッパーに戻る循環通路を構成し、上記精米ホッパーに投入した米穀を上記循環通路で循環させながら精米を行なうようにした循環式の精米機の精白度検知装置において、上記循環通路の途中に光学式の精白度センサーを設けたことを特徴とする精米機の精白度検知装置。
【手続補正２】
【補正対象書類名】明細書
【補正対象項目名】請求項４
【補正方法】変更
【補正の内容】
【請求項４】
上記精白度センサーを上記戻り通路に取り付けたことを特徴とする請求項１に記載の精米機の精白度検知装置。
【手続補正３】
【補正対象書類名】明細書
【補正対象項目名】０００６
【補正方法】変更
【補正の内容】
【０００６】
【課題を解決するための手段】
上記の課題を解決するために、この発明は、精米ホッパーの排出口を精米室に連通し、その精米室の出口から戻り通路を経て上記精米ホッパーに戻る循環通路を構成し、上記精米ホッパーに投入した米穀を上記循環通路で循環させながら精米を行なうようにした循環式の精米機の精白度検知装置において、上記循環通路の途中に光学式の精白度センサーを設けた構成とした。この構成によると、米穀で反射した検知光の反射率と基準値の比較により精白度を判定することができるので、米穀の含有水分等の影響を受けることなく、正確に精白度を検知することができる。
【手続補正４】
【補正対象書類名】明細書
【補正対象項目名】０００７
【補正方法】変更
【補正の内容】
【０００７】
上記精白度センサーは、循環通路の途中に設置すればよいが、米穀の流れが集中するホッパーの排出口又は戻り通路に取り付けることが望ましい。排出口に取り付ける場合は、その排出口の中心線が上下方向となる筒形に形成することが、米穀の流れの均一化を図るうえで望ましい。
【手続補正５】
【補正対象書類名】明細書
【補正対象項目名】００１１
【補正方法】変更
【補正の内容】
【００１１】
【発明の実施の形態】
以下、この発明の実施形態を添付図面に基づいて説明する。図１に示した第１実施形態の精米機は、機台１上に設置された精米モーター２上に、ぬか受け室３を介して、精米室４が設けられる。精米室４には水平に片持ちされた精米ロール５が挿入される。精米ロール５は、ベルト６を介して精米モーター２により駆動される。
【手続補正書】
【提出日】平成17年1月18日(2005.1.18)
【手続補正１】
【補正対象書類名】明細書
【補正対象項目名】０００２
【補正方法】変更
【補正の内容】
【０００２】【従来の技術】    従来、この種のニ面鏡としては、実開昭５７−７４７８２に、台５に鏡１鏡２をアーム３と、自在つぎ手４でつなぐヘアミラーが記載されている。また持開２０００−１９７５４７には、伸宿自在具でニ面の鏡を連結した構成でなる手持型のニ面鏡がある。さらに、特開２００１−１０４１２２には吸盤等の固定手段を介し壁面に支持された第１アームと第２アームをもつ鏡が壁面に着脱自在に取り付けられものがあった。
【手続補正２】
【補正対象書類名】明細書
【補正対象項目名】０００４
【補正方法】変更
【補正の内容】
【０００４】    また、上記どちらの鏡においても鏡がアームにより、固定されている為、鏡を持って位置を移動するときに保持力が、大きいという問題やアームの端に付けられた鏡を顔の近くまで寄せ、メイクアップや髭剃りを行うことはアームは邪魔になるとともに鏡を持っているという不自由さもあった。
【手続補正書】
【提出日】平成17年6月9日(2005.6.9)
【手続補正１】
【補正対象書類名】明細書
【補正対象項目名】特許請求の範囲
【補正方法】変更
【補正の内容】
【特許請求の範囲】
【請求項１】
回転するガントリ（１２）と、前記回転するガントリ上にあってｘ方向を規定している検出器素子（２０）の並列の横列を有するマルチスライス型検出器アレイ（１８）と、前記回転するガントリ上にあってｘ−ｙ平面においてマルチスライス型検出器アレイに向けて撮影対象の被検体（２２）を透過させて扇形状のＸ線ビーム（１６）を放出するように構成されているＸ線源（１４）とを備える走査型イメージング・システム（１０）により被検体（２２）を画像化する方法であって、前記走査型イメージング・システムを検出器素子の連結グループ（６０）を用いないスキャンに利用する際に前記マルチスライス型検出器アレイと扇形状ビームは協同してマルチスライス型検出器アレイの第１のアイソチャンネル（５６）を規定していると共に、隣接する検出器素子のグループをｘ方向に連結するステップと、走査型イメージング・システムにより隣接する検出器素子からなる連結グループを用いて被検体をスキャンして投影データを収集するステップと、前記収集した投影データ、並びにマルチスライス型検出器アレイで第１のアイソチャンネルと異なる調整式アイソチャンネル（８２）を利用して被検体の画像を再構成するステップと、を含む方法。
【請求項２】
前記再構成ステップは、補間を用いずに収集した投影データをフィルタ処理し（６８）かつ逆投影することを含む請求項１に記載の方法。
【請求項３】
前記再構成ステップは、収集した投影データに対して逆投影を実行すること、並びに調整式アイソチャンネルとして、前記逆投影において再構成画像のアーチファクトを減少させるのに有効な量だけ第１のアイソチャンネルからオフセットさせたアイソチャンネルを選択することを含む請求項１に記載の方法。
【請求項４】
前記再構成ステップは、検出器素子の前記グループを連結させる際に前記マルチスライス型検出器アレイのナイキスト空間サンプリング周波数の概ね２倍の遮断周波数を有するカーネルを利用して投影データをフィルタ処理すること（６８）を含む請求項１に記載の方法。
【請求項５】
回転するガントリ（１２）と、前記回転するガントリ上にあってｘ方向を規定している検出器素子（２０）の並列の横列を有するマルチスライス型検出器アレイ（１８）と、前記回転するガントリ上にあってｘ−ｙ平面において前記マルチスライス型検出器アレイ（１８）に向けて撮影対象の被検体（２２）を透過させて扇形状のＸ線ビーム（１６）を放出するように構成されているＸ線源（１４）とを備えるような被検体（２２）を画像化するための走査型イメージング・システム（１０）あって、該走査型イメージング・システムを検出器素子の連結グループ（６０）を用いないスキャンに利用する際に前記マルチスライス型検出器アレイと扇形状ビームは協同して前記マルチスライス型検出器アレイの第１のアイソチャンネル（５６）を規定していると共に、隣接する前記検出器素子のグループをｘ方向に連結すること、前記隣接する検出器素子からなる前記連結グループを用いて被検体をスキャンして投影データを収集すること、前記収集した投影データ、並びに前記マルチスライス型検出器アレイで前記第１のアイソチャンネルと異なる調整式アイソチャンネル（８２）を利用して被検体の画像を再構成すること、を行うように構成されている走査型イメージング・システム。
【請求項６】
被検体の前記画像を再構成するために、補間を用いずに前記収集した投影データをフィルタ処理し（６８）かつ逆投影するように構成されている、請求項５に記載のコンピュータ断層（ＣＴ）イメージング・システム（１０）。
【請求項７】
被検体の画像を再構成するために、前記収集した投影データに対して逆投影を実行すること、並びに、前記調整式アイソチャンネルとして、前記逆投影において前記再構成画像のアーチファクトを減少させるのに有効な量だけ前記第１のアイソチャンネルからオフセットさせたアイソチャンネルを選択することを行うように構成されている請求項５に記載のコンピュータ断層（ＣＴ）イメージング・システム（１０）。
【請求項８】
前記画像を再構成するためにさらに、検出器素子の前記グループを連結させる際に前記マルチスライス型検出器アレイのナイキスト空間サンプリング周波数の概ね２倍の遮断周波数を有するカーネルを利用して前記収集した投影データをフィルタ処理する（６８）ように構成されている請求項５に記載のコンピュータ断層（ＣＴ）イメージング・システム（１０）。
【請求項９】
隣接する検出器素子（２０）からなる連結グループ（６０）を有する走査型イメージング・システムによりスキャンした被検体（２２）を表す投影データを入力すること、前記入力した投影データを利用した被検体の画像の再構成であって、収集した投影データに対して逆投影を実行すること、並びに、調整式アイソチャンネル（８２）として、前記逆投影において再構成画像のアーチファクトを減少させるのに有効な量だけ第１のアイソチャンネルからオフセットさせたアイソチャンネル（５６）を選択することを含むような再構成をさせること、を行うように構成されているプロセッサ。
【請求項１０】
コンピュータに対して、隣接する検出器素子（２０）からなる連結グループ（６０）を有する走査型イメージング・システムによりスキャンした被検体（２２）を表す投影データを入力すること、前記入力した投影データを利用した被検体の画像の再構成であって、収集した投影データに対して逆投影を実行すること、並びに、調整式アイソチャンネル（８２）として、前記逆投影において再構成画像のアーチファクトを減少させるのに有効な量だけ第１のアイソチャンネルからオフセットさせたアイソチャンネル（５６）を選択することを含むような再構成をさせること、を指令するように構成した命令をその上にエンコードしているコンピュータ読み取り可能な媒体。
【手続補正書】
【提出日】平成17年4月6日(2005.4.6)
【手続補正１】
【補正対象書類名】明細書
【補正対象項目名】請求項１
【補正方法】変更
【補正の内容】
【請求項１】
直交流カセット型濾過器具のための分配板アセンブリであって、該分配板アセンブリが、少なくとも１つの濾過モジュールを受けるように略矩形であり、該分配板アセンブリが：
前面および後面、第１の側壁および第２の側壁並びに第１の端壁および第２の端壁を有する中央板部材；
流体を該分配板アセンブリ中に導入するための、該第１の側壁から該中央板部材を貫通して延在する供給ダクト；
該中央板部材の該前面上に位置するとともに、該供給ダクトと複数の供給連結ダクトを介して連通している複数の供給オリフィス；
残余流体を該分配板アセンブリから排出させるための、該第１の側壁から該中央板部材を貫通して延在する残余ダクト；
該中央板部材の該前面上に位置するとともに、該残余ダクトと複数の残余連結ダクトを介して連通している複数の残余オリフィス；
該中央板部材の前面上において該第１の端壁に平行に配列されるとともに、上方濾液連結ダクトと連通している複数の上方濾液オリフィス；
該中央板部材の前面上において該第２の端壁に平行に配列されるとともに、下方濾液連結ダクトと連通している複数の下方濾液オリフィス；
前面および後面、第１の側壁および第２の側壁並びに第１の端壁および第２の端壁を有する上方板部材；
上方縦濾液ダクトオリフィスと連通している該上方板部材の該第１または第２の側壁から延在する上方濾液ダクト；
該中央板部材の該第１の端壁と該上方板部材の該第２の端壁との間に配置されるとともに、該上方濾液連結ダクトおよび該上方縦濾液ダクトオリフィスと連通していて、濾液が該濾過モジュールから該分配板アセンブリを貫通して通過するのを可能にする上方濾液採集室；
前面および後面、第１の側壁および第２の側壁並びに第１の端壁および第２の端壁を有する下方板部材；
下方縦濾液ダクトオリフィスと連通している該下方板部材の該第１の側壁または第２の側壁から延在する下方濾液ダクト；および
該中央板部材の該第２の端壁と該下方板部材の該第２の端壁との間に配置されるとともに、該下方濾液連結ダクトおよび該下方縦濾液ダクトオリフィスと連通していて、濾液が該濾過モジュールから該分配板アセンブリを貫通して通過するのを可能にする下方濾液採集室
を含む、前記分配板アセンブリ。
【手続補正２】
【補正対象書類名】明細書
【補正対象項目名】請求項７
【補正方法】変更
【補正の内容】
【請求項７】
上方濾液ダクトが、上方板部材の第１および第２の端壁に垂直に配置されている、請求項１に記載の分配板アセンブリ。
【手続補正３】
【補正対象書類名】明細書
【補正対象項目名】請求項８
【補正方法】変更
【補正の内容】
【請求項８】
下方濾液ダクトが、下方板部材の第１および第２の端壁に垂直に配置されている、請求項７に記載の分配板アセンブリ。
【手続補正４】
【補正対象書類名】明細書
【補正対象項目名】００１３
【補正方法】変更
【補正の内容】
【００１３】
さらに、中央板部材は、この前面および／または後面において、濾過モジュールの対応する濾液オリフィスに適合して配置された、上方および下方濾液オリフィスを含む。上方濾液オリフィスは、上方濾液採集室に、上方濾液連結ダクトを介して連通して連結されている。三部構成分配板の第１の態様において、濾液採集室は、中央板部材の第１の端壁における凹部として設計されている。第２の態様において、濾液採集室は、中央板部材の第１の端壁に面する上方板部材の端壁における凹部として設計されている。下方濾液オリフィスは、下方濾液採集室に、上方濾液オリフィスについての様式と同様に、下方濾液連結ダクトを介して連通して連結されている。
【手続補正５】
【補正対象書類名】明細書
【補正対象項目名】００２８
【補正方法】変更
【補正の内容】
【００２８】
分配板アセンブリの第２の態様の中央板部材８は、この前面２および後面３において、濾過モジュール（図示せず）の対応する濾液オリフィスに適合して配置された、上方濾液オリフィス１７および下方濾液オリフィス１８を有する。上方濾液オリフィス１７は、上方濾液採集室２２に、上方濾液連結ダクト２３を介して連通して連結されている。上方濾液採集室２２は、中央板部材８の端壁６’に面する上方板部材９の端壁６”における凹部として設計されている。下方濾液オリフィス１８は、下方濾液採集室２５に、下方濾液連結ダクト２４を介して連通して連結されている。第２の態様の上方板部材と同様に、濾液採集室２５は、中央板部材８の第２の端壁７’に面する下方板部材１０の端壁における凹部として設計されている。
【手続補正書】
【提出日】平成17年4月13日(2005.4.13)
【手続補正１】
【補正対象書類名】明細書
【補正対象項目名】００１６
【補正方法】変更
【補正の内容】
【００１６】
本発明の改良された触媒の製造方法のための出発物質として使用される混合金属酸化物は、
ＡａＶｂＮｃＸｄＯｅ
〔式中、ＡはＭｏ及びＷからなる群から選択される少なくとも１つの元素であり、ＮはＴｅ、Ｓｅからなる群から選択される少なくとも１つの元素であり、さらにＸはＮｂ、Ｔａ、Ｔｉ、Ａｌ、Ｚｒ、Ｃｒ、Ｍｎ、Ｆｅ、Ｒｕ、Ｃｏ、Ｒｈ、Ｎｉ、Ｐｔ、Ｓｂ、Ｂｉ、Ｂ、Ｉｎ、Ｃｅ、Ａｓ、Ｇｅ、Ｓｎ、Ｌｉ、Ｎａ、Ｋ、Ｒｂ、Ｃｓ、Ｆｒ、Ｂｅ、Ｍｇ、Ｃａ、Ｓｒ、Ｂａ、Ｒａ、Ｈｆ、Ｐｂ、Ｐ、Ｐｍ、Ｅｕ、Ｇｄ、Ｄｙ、Ｈｏ、Ｅｒ、Ｔｍ、Ｙｂ、Ｌｕ、Ａｕ、Ａｇ、Ｒｅ、Ｐｒ、Ｚｎ、Ｇａ、Ｐｄ、Ｉｒ、Ｎｄ、Ｙ、Ｓｍ、Ｔｂ、Ｂｒ、Ｃｕ、Ｓｃ、Ｃｌ、ＦおよびＩからなる群から選択される少なくとも１つの元素であり、ａ＝１のとき、ｂ＝０．０１から２、ｃ＝０．０１から１．０、ｄ＝０．０１から１．０であり、ｅは他の元素の酸化状態に応じて変化する。〕
の実験式を有する。
【手続補正書】
【提出日】平成17年4月13日(2005.4.13)
【手続補正１】
【補正対象書類名】明細書
【補正対象項目名】００１６
【補正方法】変更
【補正の内容】
【００１６】
本発明の改良された触媒の製造方法のための出発物質として使用される混合金属酸化物は、
ＡａＶｂＮｃＸｄＯｅ
〔式中、ＡはＭｏ及びＷからなる群から選択される少なくとも１つの元素であり、ＮはＴｅ、およびＳｅからなる群から選択される少なくとも１つの元素であり、さらにＸはＮｂ、Ｔａ、Ｔｉ、Ａｌ、Ｚｒ、Ｃｒ、Ｍｎ、Ｆｅ、Ｒｕ、Ｃｏ、Ｒｈ、Ｎｉ、Ｐｔ、Ｓｂ、Ｂｉ、Ｂ、Ｉｎ、Ｃｅ、Ａｓ、Ｇｅ、Ｓｎ、Ｌｉ、Ｎａ、Ｋ、Ｒｂ、Ｃｓ、Ｆｒ、Ｂｅ、Ｍｇ、Ｃａ、Ｓｒ、Ｂａ、Ｒａ、Ｈｆ、Ｐｂ、Ｐ、Ｐｍ、Ｅｕ、Ｇｄ、Ｄｙ、Ｈｏ、Ｅｒ、Ｔｍ、Ｙｂ、Ｌｕ、Ａｕ、Ａｇ、Ｒｅ、Ｐｒ、Ｚｎ、Ｇａ、Ｐｄ、Ｉｒ、Ｎｄ、Ｙ、Ｓｍ、Ｔｂ、Ｂｒ、Ｃｕ、Ｓｃ、Ｃｌ、ＦおよびＩからなる群から選択される少なくとも１つの元素であり、ａ＝１のとき、ｂ＝０．０１から２、ｃ＝０．０１から１、ｄ＝０．０１から１．０であり、ｅは他の元素の酸化状態に応じて変化する。〕
の実験式を有する。
【手続補正２】
【補正対象書類名】明細書
【補正対象項目名】００７０
【補正方法】変更
【補正の内容】
【００７０】
実施例１
比較例１の触媒５．７２ｇを、２５ｇの水中の２．３５ｇの蓚酸２水和物に加えた。混合物を撹拌しながら７５℃で６時間加熱した。その後混合物を室温に冷却し、ろ過して不溶解物を集めた。固体を真空下で１６時間、室温で乾燥した。Ｘ線回折分析により、比較例１と実施例１では相組成の相違のないことが示された。
【手続補正３】
【補正対象書類名】明細書
【補正対象項目名】００７２
【補正方法】変更
【補正の内容】
【００７２】
実施例２
比較例２の触媒１４．０８ｇを、６０ｇの水中の５．７７ｇの蓚酸２水和物の溶液に加えた。混合物を撹拌しながら７５℃で６時間加熱した。その後混合物を４０℃に冷却し、ろ過して不溶解物を集めた。固体を真空下で１６時間、室温で乾燥した。
【手続補正４】
【補正対象書類名】明細書
【補正対象項目名】００７３
【補正方法】変更
【補正の内容】
【００７３】
比較例３
触媒は比較例２の手順より調製された。ただし、比較例１の物質Ａ０．３０ｇを蓚酸ニオブ溶液とともに加えた。
実施例３
比較例３の触媒１５．４６ｇを、６５ｇの水中の６．１９ｇの蓚酸２水和物の溶液に加えた。混合物を撹拌しながら７５℃で６時間加熱した。その後混合物を５０℃に冷却し、ろ過して不溶解物を集めた。固体を真空下で１６時間、室温で乾燥した。
【手続補正書】
【提出日】平成17年8月25日(2005.8.25)
【手続補正１】
【補正対象書類名】明細書
【補正対象項目名】特許請求の範囲
【補正方法】変更
【補正の内容】
【特許請求の範囲】
【請求項１】  複数の光源を具備し、該光源からの光の照射によって被照射体の光化学反応処理を行う光化学反応処理装置において、前記光源の点灯を制御する点灯制御装置を具備し、前記被照射体に対する光照射量を制御できるようにしたことを特徴とする光化学反応処理装置。
【請求項２】  前記点灯制御装置は、点灯する光源の数又は調光を制御することにより、前記被照射体に対する光照射量を所定の水準に制御することを特徴とする請求項１に記載の光化学反応処理装置。
【請求項３】  前記点灯制御装置は、点灯する光源の数又は調光を使用時間経過に応じて制御することを特徴とする請求項２に記載の光化学反応処理装置。
【請求項４】  前記複数の光源のうち一部の光源を点灯もしくは調光点灯し、点灯もしくは調光点灯する光源の組み合わせを順次切り替えることで、光照射量を所定の水準に制御することを特徴とする請求項３に記載の光化学反応処理装置。
【請求項５】  光源の経時的照度低下特性を基に、使用時間経過に伴い、点灯もしくは調光点灯する光源数と消灯する光源数の比率を変更させることを特徴とする請求項３又は４に記載の光化学反応処理装置。
【請求項６】  前記点灯もしくは調光点灯する光源の組み合わせ及び切り替え時期並びに前記使用時間経過に伴う点灯もしくは調光点灯光源数と消灯光源数の前記比率の変更態様を装置の運転開始前に予め設定し、この設定に従って点灯もしくは調光点灯する光源を時間経過に応じて制御することを特徴とする請求項４又は５に記載の光化学反応処理装置。
【請求項７】  前記設定内容は運転開始後に修正可能であることを特徴とする請求項６に記載の光化学反応処理装置。
【請求項８】  前記光源は紫外線を放射する光源である請求項１乃至７のいずれかに記載の光化学反応処理装置。
【請求項９】  請求項１乃至８のいずれかに記載の装置を用いて、光源から光を照射し、被照射体に対して光化学反応処理を行うことを特徴とする光化学反応処理方法。
【請求項１０】  点灯もしくは調光点灯させる光源と消灯させる光源の比率の変更や、点灯もしくは調光点灯させる光源のローテーションによって、光源の一斉交換期間を延長させることを特徴とする光化学反応処理方法。
【手続補正２】
【補正対象書類名】明細書
【補正対象項目名】０００４
【補正方法】変更
【補正の内容】
【０００４】
【課題を解決するための手段】  本発明に係る光化学反応装置は、複数の光源を具備し、該光源からの光の照射によって被照射体の光化学反応処理を行う光化学反応処理装置において、前記光源の点灯を制御する点灯制御装置を具備し、前記被照射体に対する光照射量を制御できるようにしたことを特徴とする。これにより、光源の点灯を制御することにより被照射体に対する光照射量を制御でき、もって、光量過多による意図しない光反応を制御すると共に、併せて省エネルギー・省メンテナンスな構成とすることができる。一例として、前記点灯制御装置は、点灯する光源の数又は調光を制御することにより、前記被照射体に対する光照射量を所定の水準に制御することを特徴とするものである。また、前記点灯制御装置は、点灯する光源の数又は調光を使用時間経過に応じて制御することを特徴とするものである。例えば、前記複数の光源のうち一部の光源を点灯し、点灯する光源の組み合わせを順次切り替えること、並びに、光源の経時的照度低下特性を基に、使用時間経過に伴い、点灯する光源数と消灯する光源数の比率を変更させることで、光照射量を所定の水準に制御し、光量多過による意図しない光反応を抑制することができる。なお、点灯とは、所定の定格電圧若しくは電流で点灯する場合に限らず、調光点灯する場合も含むものとする。
【手続補正書】
【提出日】平成16年2月23日(2004.2.23)
【手続補正１】
【補正対象書類名】明細書
【補正対象項目名】特許請求の範囲
【補正方法】変更
【補正の内容】
【特許請求の範囲】
【請求項１】
コントローラを備えるゲーム装置において、
所定パターンに従って数値を順次生成する数値生成手段と、
前記数値生成手段により生成される数値に対応する情報を順次表示する情報表示手段と、
前記コントローラに対して第１の操作がなされた場合に、そのタイミングに対応するタイミングで前記数値生成手段により生成されている数値に基づいて、該数値より大きい上限値と該数値より小さい下限値とを決定し、前記コントローラに対して第２の操作がなされるまで、該上限値及び該下限値の間で数値を生成するよう前記パターンを変更するパターン変更手段と、
前記コントローラに対して前記第２の操作がなされた場合に、そのタイミングに対応するタイミングで前記数値生成手段により生成されている数値に基づいてゲームパラメータを決定するゲームパラメータ決定手段と、
前記ゲームパラメータ決定手段により決定される前記ゲームパラメータに基づいてゲームを制御するゲーム制御手段と、
を含むことを特徴とするゲーム装置。
【請求項２】
請求項１に記載のゲーム装置において、
前記第１の操作は、前記コントローラに含まれるボタンを所定時間以上継続して押下する操作であり、
前記第２の操作は、前記ボタンの押下を解除する操作であり、
前記ゲームパラメータ決定手段は、前記ボタンの押下が前記所定時間未満しか継続しない場合には、前記ボタンが押下されたタイミングに対応するタイミングで前記数値生成手段により生成されている数値に基づいてゲームパラメータを決定する、
ことを特徴とするゲーム装置。
【請求項３】
コントローラを備えるコンピュータをゲーム装置として機能させるためのプログラムであって、
所定パターンに従って数値を順次生成する数値生成手段、
前記数値生成手段により生成される数値に対応する情報を順次表示する情報表示手段、
前記コントローラに対して第１の操作がなされた場合に、そのタイミングに対応するタイミングで前記数値生成手段により生成されている数値に基づいて、該数値より大きい上限値と該数値より小さい下限値とを決定し、前記コントローラに対して第２の操作がなされるまで、該上限値及び該下限値の間で数値を生成するよう前記パターンを変更するパターン変更手段、
前記コントローラに対して前記第２の操作がなされた場合に、そのタイミングに対応するタイミングで前記数値生成手段により生成されている数値に基づいてゲームパラメータを決定するゲームパラメータ決定手段、及び、
前記ゲームパラメータ決定手段により決定される前記ゲームパラメータに基づいてゲームを制御するゲーム制御手段、
として前記コンピュータを機能させるためのプログラム。
【請求項４】
コントローラを備えるゲーム装置の制御方法において、
所定パターンに従って数値を順次生成する数値生成ステップと、
前記数値生成ステップで順次生成される数値に対応する情報をゲーム画面に順次表示する情報表示ステップと、
前記コントローラに対して第１の操作がなされた場合に、そのタイミングに対応するタイミングで前記数値生成ステップで生成されている数値に基づいて、該数値より大きい上限値と該数値より小さい下限値とを決定し、前記コントローラに対して第２の操作がなされるまで、該上限値及び該下限値の間で数値を生成するよう前記パターンを変更するパターン変更ステップと、
前記コントローラに対して前記第２の操作がなされた場合に、そのタイミングに対応するタイミングで前記数値生成ステップで生成されている数値に基づいてゲームパラメータを決定するゲームパラメータ決定ステップと、
前記ゲームパラメータ決定ステップで決定される前記ゲームパラメータに基づいてゲームを制御するゲーム制御ステップと、
を含むことを特徴とするゲーム装置の制御方法。
【手続補正２】
【補正対象書類名】明細書
【補正対象項目名】発明の名称
【補正方法】変更
【補正の内容】
【発明の名称】ゲーム装置、プログラム及びゲーム装置の制御方法
【手続補正書】
【提出日】平成16年2月18日(2004.2.18)
【手続補正１】
【補正対象書類名】明細書
【補正対象項目名】特許請求の範囲
【補正方法】変更
【補正の内容】
【特許請求の範囲】
【請求項１】
複数種類の図柄を図柄表示領域毎に変動表示した後、停止させて任意の組み合わせ図柄を表示する図柄表示部を備え、停止表示された組み合わせ図柄が特定の組み合わせ図柄となれば、遊技者にとって有利な特別遊技状態が発生する遊技機において、
図柄表示領域の区画形態が異なる少なくとも二種類以上の変動表示態様を備え、
所定の条件が成立することにより、当回の変動表示における変動表示態様が、前回の変動表示における変動表示態様とは別の変動表示態様に切り替えられ、
切り替えられた変動表示態様は、次に所定の条件が成立するまで継続して用いられる、ことを特徴とする遊技機。
【請求項２】
変動表示の開始前に毎回実施される抽選に当選することにより、当回の変動表示における変動表示態様の切り替えが行われる請求項１記載の遊技機。
【請求項３】
変動表示態様の切り替えは、当回の変動表示の途中に行われる請求項２記載の遊技機。
【請求項４】
変動表示態様の切り替えは、当回の変動表示が各図柄を視認可能な低速で行われている間に行われる請求項３記載の遊技機。
【請求項５】
抽選に当選した場合、前回の変動表示における変動表示態様に基づく変動表示及びしかる後の停止表示が仮に行われた後、切り替えに係る変動表示態様に基づく本式の変動表示が行われる請求項２又は３記載の遊技機。
【請求項６】
変動表示態様の切り替えが行われた場合、停止表示された組み合わせ図柄が前記特定の組み合わせ図柄となる期待度が高くなるように設定されてなる請求項１乃至５の何れかに記載の遊技機。
【請求項７】
変動表示態様は、図柄表示部を縦に区画した各図柄表示領域において、図柄を縦方向あるいは手前方向にスクロールさせる第一の変動表示態様と、図柄表示部を横に区画した各図柄表示領域において、図柄を横方向にスクロールさせる第二の変動表示態様とからなる請求項１乃至６の何れかに記載の遊技機。
【請求項８】
図柄表示部を斜めに区画した各図柄表示領域において、図柄を斜め方向にスクロールさせる第三の変動表示態様を別に備え、第一の変動表示態様から第二の変動表示態様に切り替わる際、あるいは第二の変動表示態様から第一の変動表示態様に切り替わる際、その間に第三の変動表示態様を介在させるようにした請求項７記載の遊技機。
【請求項９】
図柄は、スクロール方向に向く形態で表現される請求項７又は８記載の遊技機。
【手続補正２】
【補正対象書類名】明細書
【補正対象項目名】０００６
【補正方法】変更
【補正の内容】
【０００６】
【課題を解決するための手段】
本発明に係る遊技機は、複数種類の図柄を図柄表示領域毎に変動表示した後、停止させて任意の組み合わせ図柄を表示する図柄表示部を備え、停止表示された組み合わせ図柄が特定の組み合わせ図柄となれば、遊技者にとって有利な特別遊技状態が発生する遊技機において、図柄表示領域の区画形態が異なる少なくとも二種類以上の変動表示態様を備え、所定の条件が成立することにより、当回の変動表示における変動表示態様が、前回の変動表示における変動表示態様とは別の変動表示態様に切り替えられ、切り替えられた変動表示態様は、次に所定の条件が成立するまで継続して用いられる、ことを特徴とする。


【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
また、本発明に係る遊技機において、これら変動表示態様の切り替えと、停止表示された組み合わせ図柄が特定の組み合わせ図柄となる期待度との関連付けを持たせれば、遊技者に対して、切り替えが行われる度に、停止表示された組み合わせ図柄が特定の組み合わせ図柄となるのではないか、即ち大当たりとなるのではないかと期待感を抱かせることができ、遊技者の興味心をさらに引き付けることができる。この関連付けの手法としては、停止表示された組み合わせ図柄が特定の組み合わせ図柄となることに当選した際の、前記所定の条件が成立する確率、即ち切り替えが行われる確率を増やす場合や、停止表示された組み合わせ図柄が特定の組み合わせ図柄となることに当選した際の、特定の変動表示態様が選択される確率を増やす場合等が考えられる。前者に該当する請求項６記載の遊技者は、変動表示態様の切り替えが行われた場合、停止表示された組み合わせ図柄が前記特定の組み合わせ図柄となる期待度が高くなるように設定されてなる構成を採用し、後者に該当する遊技機は、選択される変動表示態様の種類によって、前記特定の組み合わせ図柄となる期待度が異なるように設定されてなる構成を採用する。


【手続補正５】
【補正対象書類名】明細書
【補正対象項目名】００１２
【補正方法】変更
【補正の内容】
【００１２】
また、本発明に係る遊技機は、請求項７記載の如く、変動表示態様は、図柄表示部を縦に区画した各図柄表示領域において、図柄を縦方向あるいは手前方向にスクロールさせる第一の変動表示態様と、図柄表示部を横に区画した各図柄表示領域において、図柄を横方向にスクロールさせる第二の変動表示態様とからなる構成を採用することができる。かかる構成からなる遊技機によれば、第一の変動表示態様に基づく変動表示及び第二の変動表示態様に基づく変動表示の両方が適宜切り替わって行われることにより、従来の横スクロールタイプの遊技機及び従来の縦スクロールタイプの遊技機のそれぞれ利点を享受することができる。


【手続補正６】
【補正対象書類名】明細書
【補正対象項目名】００１４
【補正方法】変更
【補正の内容】
【００１４】
さらに、本発明に係る遊技機は、請求項８記載の如く、図柄表示部を斜めに区画した各図柄表示領域において、図柄を斜め方向にスクロールする第三の変動表示態様を別に備え、第一の変動表示態様から第二の変動表示態様に切り替わる際、あるいは第二の変動表示態様から第一の変動表示態様に切り替わる際、その間に第三の変動表示態様を介在させるようにした構成を採用することができる。かかる構成によれば、第一の変動表示態様（第二の変動表示態様）から第三の変動表示態様に、そして、第三の変動表示態様から第二の変動表示態様（第一の変動表示態様）に移行して、変動表示が行われるので、変動表示態様が切り替わる際の演出が変化に富んだものとなり、その分、遊技者の興味心を引き付けることができる。


【手続補正７】
【補正対象書類名】明細書
【補正対象項目名】００１５
【補正方法】変更
【補正の内容】
【００１５】
そして、本発明に係る遊技機は、請求項９記載の如く、図柄は、スクロール方向に向く形態で表現される構成を採用することができる。かかる構成からなる遊技機によれば、変動表示態様の切り替えに伴って、図柄の形態の切り替えも行われるが、何れの変動表示態様であっても、図柄は常にスクロール方向を向いて移動する格好となるため、変動表示態様が切り替わる際の演出がさらに変化に富んだものとなり、その分、遊技者の興味心をさらに引き付けることができる。
【手続補正書】
【提出日】平成17年3月24日(2005.3.24)
【手続補正１】
【補正対象書類名】明細書
【補正対象項目名】特許請求の範囲
【補正方法】変更
【補正の内容】
【特許請求の範囲】
【請求項１】
ホスト制御ユニットから送られるコマンドを受け取って、そのコマンドに対応した図柄情報を記憶装置から読み出して、表示ユニットに図柄を表示するパチンコ機用図柄表示装置において、
電源がＯＮになったとき計数動作を開始し、電源がＯＦＦになったとき計数動作を停止して、積算使用時間を保持する時計回路を備え、この積算使用時間を上記表示ユニットに表示することにより、上記記憶装置の繰り返し交換、あるいは上記記憶装置への繰り返し書き換えを可能にしたことを特徴とするパチンコ機用図柄表示装置。
【請求項２】
上記積算使用時間情報を外部に出力するポートを備えたことを特徴とする請求項１に記載のパチンコ機用図柄表示装置。
【請求項３】
請求項１または請求項２のいずれかに記載のパチンコ機用図柄表示装置を備えたパチンコ機。
【手続補正書】
【提出日】平成17年2月25日(2005.2.25)
【手続補正１】
【補正対象書類名】明細書
【補正対象項目名】特許請求の範囲
【補正方法】変更
【補正の内容】
【特許請求の範囲】
【請求項１】
本体と、一方の端部側が前記本体に取り付けられたレバーと、前記レバーの他方の端部側に取り付けられた顕微鏡とを有する歯科用顕微鏡装置であって、前記レバーは顕微鏡を該顕微鏡の視軸に沿った方向、及び該顕微鏡の視軸に対して交差する方向に回動可能に本体に取り付けられており、前記レバーを、顕微鏡の視軸に沿った方向に回動させるのに必要な力と、顕微鏡の視軸に対して交差する方向に回動させるのに必要な力とが異なるように設定したことを特徴とする歯科用顕微鏡装置。
【手続補正２】
【補正対象書類名】明細書
【補正対象項目名】００１１
【補正方法】変更
【補正の内容】
【００１１】
【課題を解決するための手段】
上記課題を解決するために本発明に係る歯科用顕微鏡装置は、本体と、一方の端部側が前記本体に取り付けられたレバーと、前記レバーの他方の端部側に取り付けられた顕微鏡とを有する歯科用顕微鏡装置であって、前記レバーは顕微鏡を該顕微鏡の視軸に沿った方向、及び該顕微鏡の視軸に対して交差する方向に回動可能に本体に取り付けられており、前記レバーを、顕微鏡の視軸に沿った方向に回動させるのに必要な力と、顕微鏡の視軸に対して交差する方向に回動させるのに必要な力とが異なるように設定したものである。
【手続補正３】
【補正対象書類名】明細書
【補正対象項目名】００１２
【補正方法】変更
【補正の内容】
【００１２】
上記歯科用顕微鏡装置（以下、単に「顕微鏡装置」という）では、レバーを回動させる際に、顕微鏡の視軸に沿った方向に回動させるのに必要な力と、顕微鏡の視軸に交差する方向に回動させるのに必要な力（以下「駆動力」という）とが、夫々異なる大きさになるように設定されている。このため、レバーに、回動部材の回動に必要な力（以下「回動力」という）が小さい方の抵抗力よりも大きく、且つ回動力が大きい方の抵抗力よりも小さい駆動力が作用したとき、小さい抵抗力の方向に回動し、大きい抵抗力の方向には静止状態を維持する。
【手続補正書】
【提出日】平成17年3月24日(2005.3.24)
【手続補正１】
【補正対象書類名】明細書
【補正対象項目名】特許請求の範囲
【補正方法】変更
【補正の内容】
【特許請求の範囲】
【請求項１】
上顎歯牙の印象を採得するための上顎歯牙既成トレーにおいて、
平面視が馬蹄形状の底壁部と該底壁部の外周側に設けられる外周壁部と前記底壁部の内周側に設けられる内周壁部とで印象材保持部を形成し、該印象材保持部の奥歯側の端部を奥壁部により閉塞し、前記内周壁部及び前記奥壁部の上端縁のうちの適所を湾曲させて上記上顎歯牙近くの顎堤粘膜の表面形状と合致する係合縁を形成し、前記内周壁部で囲まれる部分を口蓋回避のための空間部とし、前記印象材保持部を前記上顎歯牙に被せて前記係合縁を前記顎堤粘膜に合致させることにより前記印象材保持部が位置決めされることを特徴とする上顎歯牙既成トレー。
【請求項２】
前記内周壁部及び前記奥壁部の上端縁の全長にわたって前記係合縁を形成したことを特徴とする請求項１に記載の上顎歯牙既成トレー。
【請求項３】
前記内周壁部の上端縁にのみ前記係合縁を形成したことを特徴とする請求項１に記載の上顎歯牙既成トレー。
【請求項４】
前記奥壁部の上端縁にのみ前記係合縁を形成したことを特徴とする請求項１に記載の上顎歯牙既成トレー。
【請求項５】
前記外周壁部の前歯側を前歯の傾きに合わせて傾斜させたことを特徴とする請求項１から３のいずれかに記載の上顎歯牙既成トレー。
【手続補正２】
【補正対象書類名】明細書
【補正対象項目名】００１１
【補正方法】変更
【補正の内容】
【００１１】
【課題を解決するための手段】
本発明の上顎歯牙既成トレーは、前記課題を解決するために、上顎歯牙の印象を採得するための上顎歯牙既成トレーにおいて、平面視が馬蹄形状の底壁部と該底壁部の外周側に設けられる外周壁部と前記底壁部の内周側に設けられる内周壁部とで印象材保持部を形成し、該印象材保持部の奥歯側の端部を奥壁部により閉塞し、前記内周壁部及び前記奥壁部の上端縁のうちの適所を湾曲させて上記上顎歯牙近くの顎堤粘膜の表面形状と合致する係合縁を形成し、前記内周壁部で囲まれる部分を口蓋回避のための空間部とし、前記印象材保持部を前記上顎歯牙に被せて前記係合縁を前記顎堤粘膜に合致させることにより前記印象材保持部が位置決めされることを特徴とする。
【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】
被検体内で検査、治療又は処置などの医療行為を行うカプセル型医療装置において、
カプセル本体と、
前記カプセル本体に設けられ、被検体外の外部磁力に磁気的に作用される磁石と、
前記カプセル本体に設けられ、前記磁石による回転運動を推進力に変換する推力発生部と、
を具備し、
前記カプセル本体の長手中心軸上に本体重心を略一致させたことを特徴とするカプセル型医療装置。
【請求項２】
前記カプセル本体の長手中心軸上の先端側に生体内の光学像を取り込み撮像する観察装置を設けたことを特徴とする請求項１に記載のカプセル型医療装置。
【請求項３】
前記カプセル本体の少なくとも一端近傍に前方又は前方斜視又は側視の観察視野方向を有する観察装置を配置したことを特徴とする請求項１に記載のカプセル型医療装置。
【請求項４】
前記カプセル型医療装置は、前記磁石と前記推力発生部とを有する第１のカプセル本体と、
前記観察装置を有する第２のカプセル本体と、
を備え、
前記第１のカプセル本体と前記第２のカプセル本体とは、分割可能に構成されることを特徴とする請求項３に記載のカプセル型医療装置。
【請求項５】
前記カプセル本体の長手中心軸上に前記磁石の中心軸を略一致させたことを特徴とする請求項１から４のいずれか一つに記載のカプセル型医療装置。
【請求項６】
前記カプセル本体の長手中心軸に対して略対称位置に前記磁石を複数配置したことを特徴とする請求項１から４のいずれか一つに記載のカプセル型医療装置。
【請求項７】
前記推力発生部は、前記カプセル本体の外面に突出した螺旋状部であることを特徴とする請求項１から６のいずれか一つに記載のカプセル型医療装置。
【手続補正２】
【補正対象書類名】明細書
【補正対象項目名】０００５
【補正方法】変更
【補正の内容】
【０００５】
【発明が解決しようとする課題】
しかしながら、上記日本国特許特開２００１−１７９７００（Ｐ２００１−１７９７００Ａ）公報に記載のカプセル型医療装置は、上記カプセル本体の回転に際して、このカプセル本体の内部構造等について考慮されていない。
一般に、物体は、長手中心軸上に重心が略一致していないと、回転時に偏芯運動（ジグリング）を起こしてしまい、無駄な動きとなってしまう。
【手続補正３】
【補正対象書類名】明細書
【補正対象項目名】０００６
【補正方法】変更
【補正の内容】
【０００６】
このため、上記日本国特許特開２００１−１７９７００（Ｐ２００１−１７９７００Ａ）公報に記載のカプセル型医療装置は、回転時に偏芯運動（ジグリング）等の無駄な動きを行ってしまい、管腔管路内をスムーズに目的部位まで到達することが困難となってしまう虞れが生じる。
【手続補正４】
【補正対象書類名】明細書
【補正対象項目名】０００８
【補正方法】変更
【補正の内容】
【０００８】
【課題を解決するための手段】
本発明のカプセル型医療装置は、被検体内で検査、治療又は処置などの医療行為を行うカプセル型医療装置において、カプセル本体と、前記カプセル本体に設けられ、被検体外の外部磁力に磁気的に作用される磁石と、前記カプセル本体に設けられ、前記磁石による回転運動を推進力に変換する推力発生部と、を具備し、前記カプセル本体の長手中心軸上に本体重心を略一致させたことを特徴とする。
【手続補正５】
【補正対象書類名】明細書
【補正対象項目名】００３２
【補正方法】変更
【補正の内容】
【００３２】
ここで、カプセル型医療装置１は、カプセル本体１Ａの長手中心軸３８上に重心が略一致していないと、カプセル本体１Ａが偏心運動（ジグリング）をして無駄な動きを起こしてしまう。
【手続補正６】
【補正対象書類名】明細書
【補正対象項目名】００３３
【補正方法】変更
【補正の内容】
【００３３】
本実施の形態では、カプセル型医療装置１は、最も重い釦電池等のバッテリ２７ａを長手中心軸３８上に配置すると共に、前記磁石３６をカプセル本体１Ａの長手中心軸３８上に配置し、カプセル本体１Ａの長手中心軸３８上に重心を略一致させるように構成している。このことにより、カプセル型医療装置１は、カプセル本体１Ａが偏芯運動（ジグリング）等の無駄な動きをすることなく、管腔管路内をスムーズに目的部位まで到達可能に構成される。
【手続補正７】
【補正対象書類名】明細書
【補正対象項目名】００４２
【補正方法】変更
【補正の内容】
【００４２】
この結果、本実施の形態のカプセル型医療装置１は、カプセル本体１Ａが偏芯運動（ジグリング）等の無駄な動きをすることなく、管腔管路内をスムーズに目的部位まで到達することができる。
また、本実施の形態のカプセル型医療装置１は、無駄な動きがない分、磁気誘導効率が良くなり、カプセル本体内、体外両方又は一方の磁石を小型化できるという大きな効果がある。
【手続補正８】
【補正対象書類名】明細書
【補正対象項目名】００６１
【補正方法】変更
【補正の内容】
【００６１】
尚、本実施の形態では、制御装置３と送受信する無線アンテナ２１を有し、体腔管路内を通過させて前記制御装置３の制御により、検査、治療又は処置が可能なカプセル型医療装置に本発明を適用して構成しているが、本発明はこれに限定されず、無線アンテナ２１を設けることなく、体腔管路内を通過させて体外から回収後に光学画像等の情報（データ）を取り出すカプセル型医療装置に本発明を適用して構成しても構わない。
【手続補正９】
【補正対象書類名】明細書
【補正対象項目名】００９０
【補正方法】変更
【補正の内容】
【００９０】
（付記項２４）  前記磁石を複数に分け、これら複数の磁石の合成磁力が強める向きに配置したことを特徴とする付記項１５に記載のカプセル型医療装置。
（付記項２５）  前記推力発生部を前記観察手段の観察の妨げにならない位置に配置したことを特徴とする付記項１５又は１６に記載のカプセル型医療装置。
【手続補正１０】
【補正対象書類名】図面
【補正対象項目名】図２２
【補正方法】変更
【補正の内容】
【図２２】
2003275170.tif 000001
【手続補正書】
【提出日】平成17年3月18日(2005.3.18)
【手続補正１】
【補正対象書類名】明細書
【補正対象項目名】特許請求の範囲
【補正方法】変更
【補正の内容】
【特許請求の範囲】
【請求項１】
人体の有無を検知する光を被検出物体に向けて投射光として発し、人体の有無を検知するセンサーと、該センサーの光の波長以外をカットするフィルター部と、センサーを固定するケースとで構成されるセンサーユニットを有する衛生装置において、前記センサーユニットを前記衛生装置のケースカバーに内部から固定し、前記フィルター部をケースカバー外側に最小限の面積で配置することを特徴とする衛生装置。
【請求項２】
請求項１記載の衛生装置において、前記フィルター部を前記検知光の検知に必要なレベルで透過する透過性材料で形成し、前記透過部以外の非透過部を前記検知用光を十分に減衰又は、遮断させる非透過性材料で形成したことを特徴とする衛生装置。
【請求項３】
請求項１記載の衛生装置において、フィルター内部側での発光部と受光部との間の光伝達を遮る遮光部を前記フィルターに設けたことを特徴とする衛生装置。
【請求項４】
請求項２記載の衛生装置において、前記透過部と非透過部を２色成形、または２重成形、またはインサート成形にて一体構造にしたことを特徴とする衛生装置。
【請求項５】
請求項２記載の衛生装置において、前記透過部と非透過部を接着にて固定させたことを特徴とする衛生装置。
【請求項６】
請求項１記載の衛生装置において、前記ケースに前記センサーを係合やネジなどの別部品により固定したことを特徴とする衛生装置。
【請求項７】
請求項１記載の衛生装置において、前記センサーユニットを前記ケースカバー内部から係合やネジなどの別部品によりケースカバーに固定することを特徴とした衛生装置。
【手続補正２】
【補正対象書類名】明細書
【補正対象項目名】０００４
【補正方法】変更
【補正の内容】
【０００４】
【課題を解決するための手段及び作用・効果】
上記課題を解決するために請求項１の発明では、人体の有無を検知する光を被検出物体に向けて投射光として発し、人体の有無を検知するセンサーと、該センサーの光の波長以外をカットするフィルター部と、センサーを固定するケースとで構成されるセンサーユニットを有する衛生装置において、センサーユニットを衛生装置のケースカバーに内部から固定し、フィルター部をケースカバー外側に最小限の面積で配置したので、フィルターはセンサーの投光部、受光部の必要とする最小面積で構成することができる。
【手続補正３】
【補正対象書類名】明細書
【補正対象項目名】０００７
【補正方法】変更
【補正の内容】
【０００７】
また、請求項４の発明では、請求項２記載の発明に加え、前記透過部と非透過部を２色成形、または２重成形、またはインサート成形にて一体構造にしたので、両者間の隙間をなくすことができ、汚れや埃等が詰まることがない。
【手続補正４】
【補正対象書類名】明細書
【補正対象項目名】０００８
【補正方法】変更
【補正の内容】
【０００８】
また、請求項５の発明では、請求項２記載の発明に加え、前記透過部と非透過部を接着にて固定させたので、フィルターの色や透過率の特性等を成形後に自由に変更することができる。
【手続補正５】
【補正対象書類名】明細書
【補正対象項目名】０００９
【補正方法】変更
【補正の内容】
【０００９】
また、請求項６の発明では、請求項１記載の発明に加え、前記ケースに前記センサーを係合やネジなどの別部品により固定したので、良好な設定位置にセンサーを保持することができる。
【手続補正６】
【補正対象書類名】明細書
【補正対象項目名】００１０
【補正方法】変更
【補正の内容】
【００１０】
また、請求項７の発明では、請求項１記載の発明に加え、前記センサーユニットを前記ケースカバー内部から係合やネジなどの別部品によりケースカバーに固定したので、センサーとフィルターの位置のばらつきを抑制することができ、センサー感知領域のばらつきを最小限とすることができる。
【手続補正７】
【補正対象書類名】明細書
【補正対象項目名】００２０
【補正方法】変更
【補正の内容】
【００２０】
図４においてセンサーケース３とフィルター２を別々に成形してそれを接着剤などで後で固定することも可能であり、この場合はフィルターの色や透過率の特性などを成形後に自由に変更することが可能である。
【手続補正書】
【提出日】平成17年3月17日(2005.3.17)
【手続補正１】
【補正対象書類名】明細書
【補正対象項目名】特許請求の範囲
【補正方法】変更
【補正の内容】
【特許請求の範囲】
【請求項１】
便蓋及び／又は便座を開閉駆動するための駆動モータと、前記便蓋及び／又は便座へ前記駆動モータからの動力を減速して伝達する伝達手段と、前記伝達手段の出力軸の開閉角度を検出する開閉角度検知手段と、前記開閉角度検知手段からの信号に基づいて制御し人体が便座に着座することを検知する着座検知手段と、前記駆動モータや前記着座検知手段を制御する制御手段と、を備えた便座装置において、前記駆動モータの動作制御に必要な開閉角度データと着座検知手段の制御に必要な開閉角度データとを共通化したことを特徴とする便座装置。
【請求項２】
前記開閉角度検知手段からの信号に基づいて制御し便蓋と便座とが閉状態で人体を検知する第一の人体検知手段と、前記開閉角度検知手段からの信号に基づいて制御し便蓋のみが開状態又は便蓋と便座とが閉状態のとき人体を検知する第二の人体検知手段と、を備え、前記駆動モータの動作制御に必要な開閉角度データとを前記人体検知手段の制御に必要な開閉角度データとを共通化したことを特徴とする請求項１記載の便座装置。
【請求項３】
前記駆動モータの動作制御に必要な開閉角度データと、前記着座検出手段，第一の人体検出手段，第二の人体検出手段の制御に必要な開閉角度データとを共通化したことを特徴とする請求項２に記載の便座装置。
【請求項４】
前記駆動モータの動作制御は、便座と便蓋の開閉フィーリングをよくするための制御と、手動で便座又は/及び便蓋を開閉するとき、開閉を補う制御とを行うことを特徴とした請求項１乃至３のいずれか１項に記載の便座装置。
【請求項５】
前記開閉角度検知手段として、非接触式のセンサーを用いたことを特徴とした請求項１乃至４のいずれか１項に記載の便座装置。
【請求項６】
前記駆動モータとして、ステッピングモータを用いたことを特徴とした請求項１乃至５のいずれか１項に記載の便座装置。
【手続補正書】
【提出日】平成16年7月6日(2004.7.6)
【手続補正１】
【補正対象書類名】明細書
【補正対象項目名】発明の名称
【補正方法】変更
【補正の内容】
【発明の名称】洗面設備
【手続補正２】
【補正対象書類名】明細書
【補正対象項目名】特許請求の範囲
【補正方法】変更
【補正の内容】
【特許請求の範囲】
【請求項１】
床面に立設されている立て壁の、該床面から所定高さ離間した位置に取り付けられているカウンタと、
前記カウンタに夫々固定された洗面器、及び水栓と、
前記水栓に湯水を供給するための温水器と、
を備え、
前記温水器が、前記カウンタの下方であって、且つ、床面から前記温水器の底部までの距離が250mm以上の位置に、前記温水器の前部と前記立て壁との間の距離が150mm以内に収まるように設置されている洗面設備。
【請求項２】
請求項１記載の洗面設備において、
前記温水器が、貯湯式温水器である洗面設備。
【手続補正３】
【補正対象書類名】明細書
【補正対象項目名】０００９
【補正方法】変更
【補正の内容】
【０００９】
【課題を解決するための手段】
本発明に従う洗面設備は、床面に立設されている立て壁の、その床面から所定高さ離間した位置に取り付けられているカウンタと、上記カウンタに夫々固定された洗面器、及び水栓と、上記水栓に湯水を供給するための温水器と、を備え、上記温水器が、上記カウンタの下方であって、且つ、床面から上記温水器の底部までの距離が250mm以上の位置に、上記温水器の前部と上記立て壁との間の距離が150mm以内に収まるように設置されている。
【手続補正４】
【補正対象書類名】明細書
【補正対象項目名】００１０
【補正方法】変更
【補正の内容】
【００１０】
本発明によれば、温水器が洗面器の下部近傍に設けられていたとしても、奥まった位置にあるので車椅子の使用者の邪魔になることはない。また、温水器と洗面器との間の距離が近いので、出湯性能も良好である。
【手続補正５】
【補正対象書類名】明細書
【補正対象項目名】００１１
【補正方法】変更
【補正の内容】
【００１１】
本発明に係る好適な実施形態では、上記温水器が、貯湯式温水器である。
【手続補正６】
【補正対象書類名】明細書
【補正対象項目名】００１２
【補正方法】削除
【補正の内容】
【手続補正書】
【提出日】平成16年12月28日(2004.12.28)
【手続補正１】
【補正対象書類名】明細書
【補正対象項目名】請求項１８
【補正方法】変更
【補正の内容】
【請求項１８】
汚水の土壌浄化処理装置における土壌中に敷設するシートであって、通気性不織布に有孔管壁よりなる排気チューブを配するとともに少なくともイオウ粉粒体と炭酸カルシウム粉粒体とを含ませてなる脱窒素性排気シート。
【手続補正２】
【補正対象書類名】明細書
【補正対象項目名】符号の説明
【補正方法】変更
【補正の内容】
【符号の説明】
１    土壌浄化処理装置
２    不透水性トレンチ槽
３    上部土壌層
４    通水装置
４ａ  散水管
５    拡散層
６    脱窒素層
７    排気層
７ａ  通気性不織布
７ｂ  排気チューブ
８    排気路
９    下部土壌層
１０    集水層
１１    集水管
１２    遮水シート
【手続補正書】
【提出日】平成16年8月31日(2004.8.31)
【手続補正１】
【補正対象書類名】明細書
【補正対象項目名】００４６
【補正方法】変更
【補正の内容】
【００４６】
したがって、第１ヒーター２の温度を低くすることで、薄い膜厚の塗膜５ａを形成することができ（図４（ａ）参照）、第１ヒーター２の温度を高くすることで、厚い膜厚の塗膜５ｂを形成することができる（図４（ｂ）参照）。
【手続補正２】
【補正対象書類名】明細書
【補正対象項目名】００５５
【補正方法】変更
【補正の内容】
【００５５】
図７は塗膜の厚さに分布を持たせるとともに細管を冷却することで液溜りの位置を制御する例を示す説明図である。
本例においては、図５に示した方法を適用し、細管１の円周方向における厚さを変えて、細管１の内面に、薄い膜厚の塗膜５ａと厚い膜厚の塗膜５ｂを形成する。そして、同時に、細管１を冷却装置８で冷却することで、液溜りの位置を制御する。冷却装置８を配置する位置は、図６（ａ）〜図６（ｃ）で示した例と同じである。